(57)【要約】  【課題】  ジャッキ本体の軸線方向の強度を補強すると共に軸線方向と直交する方向の強度も補強する補強ジャッキを提供する。  【解決手段】  上方筒部材（６）と下方筒部材（８）との間にねじ鉄筋（９）を螺入させたジャッキ本体（１）に基台（２）を備え、基台（２）にはその底部（１２）にジャッキ本体（１）の軸線方向の高さ調整を行う締付けボルト（１７，１７）を設け、その側部（１４，１５）には補強用接続部材（２０，２０）をボルト締めするための長孔（２３，２３）を形成してある。【選択図】    図１
0003122016.tif 000002
【実用新案登録請求の範囲】
【請求項１】
上方筒部材と下方筒部材との間にねじ鉄筋を螺入させたジャッキ本体に基台を備え、基台にはその底部にジャッキ本体の軸線方向の高さ調整を行う締付けボルトを設け、その側部には補強用接続部材をボルト締めするための長孔を形成したことを特徴とする補強ジャッキ。
【考案の詳細な説明】
【技術分野】
【０００１】
本考案は山留め支保架構に用いるＨ型鋼のフランジ及びウェブを補強すると共に隣接するＨ型鋼間を補強する補強ジャッキに関するものである。
【背景技術】
【０００２】
従来この種のＨ型鋼にはフランジ間とウェブに補強プレートを溶接するか、又はフランジ間とウェブとにコンクリートを打設してＨ型鋼を補強していた。
【０００３】
その後、各種の補強ジャッキが開発され、ねじ鉄筋を支柱として上端部材と下端部材をフランジに係止させ、ねじ鉄筋を回転させてＨ型鋼を補強するものや、支持部材の上端部と筒部材の下端部とをフランジに係止させ、軸線方向に移動可能にした支持部材と筒部材との間に軸線方向と直交する方向に移動可能にした楔部材を介在させ、楔部材を直交方向に移動させることにより支持部材と筒部材とを軸線方向に移動させてＨ型鋼を補強するもの（特開平２０００−８０６５９号公報参照）がある。
【０００４】
【特許文献１】特開平２０００−８０６５９号公報
【考案の開示】
【考案が解決しようとする課題】
【０００５】
上述したＨ型鋼に補強プレートを溶接するもの及びコンクリートを打設するものはＨ型鋼の損傷が生じ、補強プレートやコンクリートがスクラップになって再使用できない欠点がある。また上述のねじ鉄筋を有する補強ジャッキはフランジ間でねじ鉄筋を回転させるための作業性が悪く、ジャッキの軸線方向に十分な強度を得ることができず、フランジ間から落下してしまうことがある。更に楔部材を有する補強ジャッキにおいてはジャッキの軸線方向の強度は増大するが、軸線方向に直交する方向では安定性が悪く、強度もないので、振動等の横方向の圧力には弱い欠点がある。
【０００６】
本考案の目的はジャッキ本体の軸線方向の強度を増大させると共に軸線方向と直交する方向の強度も増大させることができるＨ型鋼用の補強ジャッキを提供することにある。
【課題を解決するための手段】
【０００７】
本考案に係る補強ジャッキは上方筒部材と下方筒部材との間にねじ鉄筋を螺入させたジャッキ本体に基台を取付け、基台にはその底部にジャッキ本体の軸線方向の高さ調整を行うボルトを設け、その側部には補強用接続部材をボルト締めするための長孔を形成したものである。
【考案の効果】
【０００８】
本考案による補強ジャッキは上述した構成であるから、再使用が可能であり、その作業性が良く、ジャッキ本体の軸線方向の強度を増大させることができると共に軸線方向と直交する方向をも補強することができ、Ｈ型鋼に確実かつ堅固に固定できると共にその安定性を増大させることができる。
【考案を実施するための最良の形態】
【０００９】
図において本考案の補強ジャッキはジャッキ本体１と基台２とから構成され、ジャッキ本体１をボルト３とナット４により基台２にボルト締めすることによりジャッキ本体１を基台２に取付けてある。
【００１０】
ジャッキ本体１はＨ型鋼のフランジに設置させるＬ字形の座部５を上端に備えた上方筒部材６と、基台２の上端フランジに設置させるＬ字型の座部７を下端に備えた下方筒部材８と、上方筒部材６と下方筒部材８とに螺入させたねじ鉄筋９とから構成されている。上方筒部材６と下方筒部材８はねじ鉄筋９を螺入させるねじ穴を有し、ねじ鉄筋９を回転させることにより互いに接近するか又は互いに離れるようにねじ鉄筋９の軸線方向に沿って移動することができる。下方筒部材８に備えたＬ字形座部７には基台２の上端フランジ１０にボルト締めされる孔１１を形成してある。
【００１１】
基台２は上端フランジ１０と、下端フランジ１２と、上端フランジ１０と下端フランジ１２とを中央部で接続する中央ウェブ１３と、両端部で接続する側壁１４と側壁１５とを有している。基台２の上端フランジ１０にはジャッキ本体１をボルト３とナット４で取付けるための孔１６を形成してある。基台１の下端フランジ１２には締付けボルト１７が貫通する孔１８を穿設すると共にねじ孔を有するナット１９を取付けてあり、締付けボルト１７をナット１９に螺入させ、下端フランジ１２を通してＨ型鋼の下方フランジに締付けることができる。基台２の側壁１４，１５には補強用接続部材２０をボルト２１とナット２２で取付けるための長孔２３を形成してあり、補強用接続部材２０は図１に示したように一端を一方のＨ型鋼のフランジ間に設置された補強ジャッキにボルト２１とナット２２で取付けられると共に他端を隣接するＨ型鋼のフランジ間に設置した別の補強ジャッキにボルト２１とナット２２で取付けられるので、補強ジャッキは補強用接続部材２０によりジャッキ本体１の軸線方向と直交する方向の強度が増大され得る。図１中の符号Ａは山留め支保架構の架設時の仮設構台を示す。
【００１２】
本考案の補強ジャッキにおいては、ジャッキ本体１を基台２にボルト３とナット４で取付け、ジャッキ本体１を有する基台２の下端フランジ１２をＨ型鋼の下方フランジに設置し、ジャッキ本体１のねじ鉄筋９を回転させて上方筒部材６と下方筒部材８との間のストロークを延伸させてジャッキ本体１の上方筒部材６に備えたＬ字形座部５をＨ型鋼の上方フランジに当接させ、Ｈ型鋼のフランジ間の間隙を除去し、基台２の下端フランジ１２に設けた締付けボルト１７を締付けることにより高さ調整すると共にＨ型鋼に強固に固定させ、更に補強用接続部材２０を一方のＨ型鋼のフランジ間に設置した補強ジャッキと隣接するＨ型鋼のフランジ間に設置した別の補強ジャッキとにボルト２１とナット２２で取付け、ジャッキ本体１の軸線方向と直交する方向の強度を補強することができる。従って本考案の補強ジャッキは仮設構台Ａ上を走行するトラック等による振動に対しても十分に耐え得る強度を有する。
【図面の簡単な説明】
【００１３】
【図１】本考案の補強ジャッキをＨ型鋼のフランジ間に設置すると共に隣接するＨ型鋼のフランジ間に設置された別の補強ジャッキに接続させる使用状態を示す側面図である。
【図２】本考案の補強ジャッキの一部切欠正面図である。
【図３】本考案の基台の平面図である。
【図４】本考案の基台の正面図である。
【図５】図４のＡ−Ａ線の横断面図である。
【符号の説明】
【００１４】
１                    ジャッキ本体
２                    基台
３，１７，２１        ボルト
４，１９，２２        ナット
５，７                Ｌ字形座部
６                    上方筒部材
８                    下方筒部材
９                    ねじ鉄筋
１０                  上端フランジ
１１，１６，１８      孔
１２                  下端フランジ
１３                  中央ウェブ
１４，１５            側壁
２０                  補強用接続部材
２３                  長孔
Ａ                    仮設構台
【図１】
0003122016.tif 000003
【図２】
0003122016.tif 000004
【図３】
0003122016.tif 000005
【図４】
0003122016.tif 000006
【図５】
0003122016.tif 000007